(57)【要約】【課題】回転灯装置による演出のパターンを増やし、回転灯装置による演出に対する興趣を高めることで、遊技性を向上させることが可能な遊技機を提供する。【解決手段】回転灯装置60を表示するための表示領域（上扉装飾体6）を備え、回転灯装置60が表示領域内に位置するときは回転灯装置60を視認することができる一方、回転灯装置60が表示領域外に位置するときは回転灯装置60を視認することができないように形成されている遊技機であって、回転灯装置60を、その一部又は全部が表示領域内に含まれる位置から、回転灯装置60の全部が表示領域外に含まれる位置までの間を移動させる回転灯装置移動手段100（移動機構部110）と、回転灯装置移動手段100の作動を制御する作動制御手段210とを備える。【選択図】図４
2008119227.tif 000002
【特許請求の範囲】
【請求項１】
光を発する光源、及び、光源からの光を反射する反射面を有するとともに光源の周囲を旋回可能に設けられた回転反射板を有する回転灯装置と、
回転灯装置を表示するための表示領域と、を備え、
回転灯装置が表示領域内に位置しているときは、当該回転灯装置を視認することができる一方、回転灯装置が表示領域外に位置しているときは、当該回転灯装置を視認することができないように形成されている遊技機であって、
前記遊技機は、
回転灯装置を、当該回転灯装置の一部又は全部が表示領域内に含まれる位置から、当該回転灯装置の全部が表示領域外に含まれる位置までの間を移動させるための回転灯装置移動手段と、
回転灯装置移動手段の作動を制御するための作動制御手段と、を備えていることを特徴とする遊技機。
【請求項２】
前記回転灯装置移動手段は、
回転灯装置を、当該回転灯装置の全部が表示領域内に含まれている状態で、表示領域内を移動させるように形成されていることを特徴とする請求項１記載の遊技機。
【発明の詳細な説明】
【技術分野】
【０００１】
この発明は、遊技機に関し、詳しくは、光源が発する光を周囲に旋回させる回転灯装置を備えた遊技機に関するものである。
【背景技術】
【０００２】
従来、この種の遊技機、たとえばスロットマシンやパチンコ機においては、遊技を盛り上げたり、所定の抽選により当選した旨を遊技者に報知したりするために、光や音の発生、役物の作動等、種々の態様により演出を行うものが知られている。
そして、この種の演出のうち、光の演出としては、ランプやＬＥＤ等の発光体を点滅させたり、光の色や明るさを変化させたりするもの、また、下記の特許文献１に開示されているように、遊技機正面中央の役物や遊技機の上部に、回転灯装置を備え、この回転灯装置により、光を周囲に旋回させるようなものが知られている。なお、回転灯装置は、具体的には、光を発する光源、及び、光源の周囲を旋回可能であって、かつ光源からの光を反射する回転反射板を備えている。
【特許文献１】特開２００３−１９９８７５号公報
【特許文献２】特開平１１−３４５５０７号公報
【発明の開示】
【発明が解決しようとする課題】
【０００３】
しかし、上述のような回転灯装置では、光源の作動態様（点灯、点滅、若しくは消灯）と、回転反射板の作動態様（旋回、若しくは停止）とを組み合わせた演出しか行うことができず、回転灯装置による演出のパターンはバリエーションが少ない。したがって、遊技者は、遊技中に同じパターンの演出を見る機会が多くなり、早期に演出の斬新さが無くなってしまうため、遊技者が演出に対する興味を失いやすいという問題が生じていた。
そこで、各請求項にそれぞれ記載された各発明は、上記した事情によりなされたものであり、その目的とするところは、次の点にある。
（請求項１）
すなわち、請求項１記載の発明は、回転灯装置による演出のパターンを増やすことができるとともに、回転灯装置による演出に対する興趣を高めることで、遊技性を向上させることが可能な遊技機を提供しようとするものである。
【０００４】
（請求項２）
すなわち、請求項２記載の発明は、請求項１記載の発明の目的に加え、回転灯装置による演出のパターンをさらに増やすことができ、回転灯装置よる演出に対する興趣もさらに高めることが可能な遊技機を提供しようとするものである。
【課題を解決するための手段】
【０００５】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、光を発する光源（ランプ65）、及び、光源からの光を反射する反射面64Dを有するとともに光源の周囲を旋回可能に設けられた回転反射板64Aを有する回転灯装置60と、回転灯装置60を表示するための表示領域（上扉装飾体6）と、を備え、回転灯装置60が表示領域内に位置しているときは、当該回転灯装置60を視認することができる一方、回転灯装置60が表示領域外に位置しているときは、当該回転灯装置60を視認することができないように形成されている遊技機であって、前記遊技機は、回転灯装置60を、当該回転灯装置60の一部又は全部が表示領域内に含まれる位置から、当該回転灯装置60の全部が表示領域外に含まれる位置までの間を移動させるための回転灯装置移動手段100（移動機構部110）と、回転灯装置移動手段100の作動を制御するための作動制御手段210と、を備えていることを特徴とする。
【０００６】
ここで、遊技機としては、遊技メダルを用いて遊技が行われるスロットマシン、遊技球を用いて遊技が行われるパチンコ機、又は、遊技球を用いてスロットマシンと同様の遊技が行われるパロット（登録商標）遊技機などが挙げられる。
また、回転灯装置60は、光を周囲に旋回させるものであり、後述する如く、光を発する光源（ランプ65）、光源からの光を反射するとともに光源の周囲を旋回可能に設けられた回転反射板64Aなどから構成されている。なお、この回転灯装置60は、上述のような部材に限定されるものではなく、回転反射板64Aを旋回させるための旋回装置（たとえば、駆動モーター68や、各種ギアやベルト等の伝達手段など）、上記部材を収納するためのケースやカバーなどを備えることもできる。
【０００７】
また、「光源」は、光を発するものであり、たとえば、ランプ65を使用することができる。また、光源は、光を発するものであれば特に限定されるものではなく、ＬＥＤ等を用いることもできる。
また、「回転反射板64A」は、光源（ランプ65）からの光を反射する反射面64Dを有するとともに光源の周囲を旋回可能に設けられたものである。
また、「反射面64D」は、光源からの光を反射する面であり、回転反射板64Aにおける光源側の面をいうものである。すなわち、反射面64Dは、光源方向を向いた回転反射板64Aの面をいうものである。より具体的には、反射面64Dは、光源方向を向いた凹面（放物面）であって、たとえば鏡等を用いて鏡面となるように形成されているものである。
【０００８】
また、回転反射板64Aは、光源の周囲を旋回可能となっていれば、その旋回方向については特に限定されるものではなく、水平方向（左右方向）に旋回するものであってもよく、垂直方向（上下方向）に旋回するものであってもよい。
また、「表示領域」とは、回転灯装置60を表示するための領域である。そして、回転灯装置60が表示領域内に位置しているときは、当該回転灯装置60を視認することができる一方、回転灯装置60が表示領域外に位置しているときは、当該回転灯装置60を視認することができないようになっている。すなわち、表示領域は、回転灯装置60を視認することができる遊技機の所定の領域である。
【０００９】
また、前記表示領域は、遊技機の外観を構成する筐体1や前扉3に直接的に形成することができるし、又は、前記筐体1や前扉3に取り付け可能な別体を設け、この別体に形成することもできる。
具体的には、たとえば、遊技機の内部に回転灯装置60を備え、この回転灯装置60に対応する前扉3の所定領域を透過可能に（たとえば、透明に）形成する。これにより、透過可能に形成された前扉3の所定領域を通して、遊技機内部に備えられた回転灯装置60を視認することができることとなる。すなわち、前記前扉3の所定領域が「表示領域」に該当することとなる。
【００１０】
また、たとえば、遊技機の正面上部に、回転灯装置60を収納する演出用ユニット（上扉装飾体6）を備え、この演出用ユニット（上扉装飾体6）の正面を透明なプラスチック板等により形成されたカバー等で覆うことで、前記演出用ユニット（上扉装飾体6）の内部の所定領域を透過可能に形成する。これにより、回転灯装置60が、前記演出用ユニット（上扉装飾体6）の内部の所定領域に位置する場合、前記カバーを通して、この回転灯装置60を視認することができることとなる。すなわち、前記演出用ユニット（上扉装飾体6）の内部の所定領域が「表示領域」に該当することとなる。
また、この表示領域において表示される装置としては、回転灯装置60に限定されるものではなく、たとえば、可動式役物やＬＥＤランプ等の他の演出装置を備えて表示することもできる。
【００１１】
また、「回転灯装置移動手段100」とは、回転灯装置60を移動させるためのものであり、具体的には、回転灯装置60を、当該回転灯装置60の一部又は全部が表示領域内に含まれる位置から、当該回転灯装置60の全部が表示領域外に含まれる位置までの間を移動させるものである。
ここで、「回転灯装置60の一部又は全部が表示領域内に含まれる位置」とは、回転灯装置60の全部が表示領域内にある状態、若しくは、回転灯装置60の一部分は表示領域内にあるものの、他の部分は表示領域外にある状態をいうものである。すなわち、前記状態において回転灯装置60は、表示領域を通して、その全部を視認することができるか、若しくは、一部分のみ視認することができるものとなっている。
【００１２】
また、「回転灯装置60の全部が表示領域外に含まれる位置」とは、回転灯装置60の全部が表示領域外にある状態、すなわち、回転灯装置60の全部が表示領域内に無い状態をいうものである。すなわち、前記状態において回転灯装置60は、表示領域を通して、その全部を視認することができないものとなっている。
すなわち、回転灯装置移動手段100は、表示領域を通して回転灯装置60の全部を視認することができない位置から回転灯装置60の全部を視認することができる位置まで、若しくは、表示領域を通して回転灯装置60の全部を視認することができない位置から回転灯装置60の一部を視認することができる位置まで、回転灯装置60を移動させることができる。
【００１３】
また、この回転灯装置移動手段100は、回転灯装置60を上記のように移動させることができれば、その移動方向については特に限定されるものではなく、回転灯装置60を、左右方向に移動させるように形成することもできるし、上下方向に移動させるように形成することもできる。
また、回転灯装置60を上記のように移動させるための構成や態様は、特に限定されるものではなく、以下のようなものが挙げられる。
たとえば、回転灯装置60にワイヤー115を取り付けるとともに、所定のモーターの駆動によりワイヤー115の巻上げ又は巻下げを行うためのウインチ112を設けることができる。すなわち、前記ワイヤー115をウインチ112により巻上げるか又は巻下げるかによって、回転灯装置60を移動させることができる。この場合、モーター、ワイヤー115、ワイヤー115の巻上げ又は巻下げを行うウインチ112等が、回転灯装置60を移動させるための構成部品であり、前記モーターが回転灯装置移動手段100に該当する。
【００１４】
また、一対のローラー133と、ローラー133に掛け渡されたベルト131と、ローラー133を回転させるための駆動モーター132とを設けるとともに、回転灯装置60に前記ベルト131を取り付けることができる。すなわち、駆動モーター132が作動することによりローラー133が回転し、このローラー133の回転に伴ってベルト131が移動するものとなっている。そして、ベルト131が移動することにより、このベルト131が取り付けられた回転灯装置60も移動させることができる。この場合、駆動モーター132、ローラー133、ベルト131等が、回転灯装置60を移動させるための構成部品であり、前記駆動モーター132が回転灯装置移動手段100に該当する。
【００１５】
また、回転灯装置60にラック153を取り付けるとともに、このラック153と噛み合うピニオンギア152と、ピニオンギア152を回転させるための駆動モーターとを設けることができる。すなわち、駆動モーターが作動することによりピニオンギア152が回転し、このピニオンギア152の回転に伴ってラック153が直線移動するものとなっている。そして、ラック153が移動することにより、このラック153が取り付けられた回転灯装置60も移動させることができる。この場合、駆動モーター、ピニオンギア152、ラック153等が、回転灯装置60を移動させるための構成部品であり、前記駆動モーターが回転灯装置移動手段100に該当する。
【００１６】
また、回転灯装置60の移動としては、回転灯装置60を視認できない位置から視認できる位置まで移動すること、回転灯装置60を視認できる位置から視認できない位置まで移動すること、又は、回転灯装置60を視認できない位置から視認できる位置までの間を往復するように移動することが含まれる。
また、「作動制御手段210」とは、回転灯装置移動手段100の作動を制御するためのものである。換言すれば、作動制御手段210は、所定条件を満たすことにより、回転灯装置60の移動を開始又は終了させるように、回転灯装置移動手段100を制御するためのものである。
【００１７】
具体的には、作動制御手段210は、所定条件を満たすことを契機として、作動開始信号（若しくは、作動終了信号）を出力する。そして、回転灯装置移動手段100がこの作動開始信号（若しくは、作動終了信号）を受信することにより、当該回転灯装置移動手段100が作動を開始（若しくは、終了）し、回転灯装置60の移動を開始（若しくは、終了）する。
ここで、回転灯装置移動手段100の作動を開始するための条件としては、たとえば、所定の抽選手段による抽選によって所定の当選役（たとえば、特別遊技当選等）に当選したこと、演出を行うか否かを決定するための演出決定手段により演出を行う旨が決定されたこと、通常の遊技状態から所定の遊技状態（たとえば、ＡＴゲームやＣＴゲーム）へ移行したこと等が挙げられる。
【００１８】
また、回転灯装置移動手段100の作動を終了するための条件としては、たとえば、所定の抽選手段による抽選によって当選した当選役（たとえば、特別遊技当選等）が入賞したこと、所定の遊技状態（たとえば、ＡＴゲームやＣＴゲーム）から通常の遊技状態へ移行したこと等が挙げられる。また、回転灯装置60が表示領域内の所定位置に到達すること、回転灯装置移動手段100の作動開始から所定時間が経過したこと、回転灯装置移動手段100が作動を開始した遊技から所定回数の遊技が行われたこと等を契機として、回転灯装置移動手段100の作動を終了することもできる。
なお、回転灯装置移動手段100の作動を開始又は終了するための条件としては、上記の内容に限定されるものではない。
【００１９】
また、本発明に係る遊技機は、遊技機の制御を行うための制御装置180を備えることができる。この制御装置180は、ＣＰＵ、ＲＯＭ、ＲＡＭ、及び、Ｉ／Ｏ等を備えたマイクロコンピュータを用いて構成することができる。そして、この制御装置180が、作動制御手段200を備えるものとすることができる。など、前記制御装置180が備える手段としては、作動制御手段210だけでなく、たとえば、遊技機において行われる遊技を制御するための遊技制御手段（遊技制御装置190）等を備えることもできる。
（作用）
本発明によれば、たとえば、特別遊技当選に当選する等の所定の条件を満たすことを契機として、作動制御手段210が回転灯装置移動手段100の作動を開始する。そして、回転灯装置移動手段100が作動を開始することによって、回転灯装置60は、当該回転灯装置60の全部が表示領域外に含まれる位置から当該回転灯装置60の少なくとも一部が表示領域内に含まれる位置までの間を移動することとなる。
【００２０】
ここで、回転灯装置60が表示領域内に位置しているときは、前記表示領域を通して、回転灯装置60を視認することができ、回転灯装置60が表示領域外に位置しているときは、前記表示領域を通して、回転灯装置60を視認することができない。
したがって、回転灯装置60が、当該回転灯装置60の全部が表示領域外に含まれる位置から当該回転灯装置60の少なくとも一部が表示領域内に含まれる位置までの間を移動すると、遊技者は、回転灯装置60が表示領域外から表示領域内へ出現したり、回転灯装置が表示領域内から表示領域外へ隠れたりする旨を視認することができることとなる。
すなわち、遊技者は、回転灯装置60が出没するという斬新な演出を楽しむことができることとなるため、回転灯装置60による演出に対する興趣を高めることができることとなる。
【００２１】
また、本発明によれば、回転灯装置60は、当該回転灯装置60の全部が表示領域外に含まれる位置から当該回転灯装置60の少なくとも一部が表示領域内に含まれる位置までの間で移動することができる。
これにより、回転灯装置60は前記範囲内であれば、自由な位置に停止することもできるため、所定の当選役への当選の期待値を、回転灯装置60の停止位置によって表現する等、回転灯装置60の停止位置による演出を行うことも可能となる。また、前記演出に併せて、従来通りの回転灯装置60の演出（光源の点灯、点滅、又は消灯や、回転反射板の旋回又は停止）等を組み合わせた演出を行うことも可能となる。
【００２２】
したがって、回転灯装置60による演出のパターンを増やすことができることとなるため、遊技性を向上させることができることとなる。
（請求項２）
請求項２記載の発明は、上記請求項１記載の発明に加え、前記回転灯装置移動手段100は、回転灯装置60を、当該回転灯装置60の全部が表示領域（上扉装飾体6）内に含まれている状態で、表示領域内を移動させるように形成されていることを特徴とする。
ここで、「回転灯装置60の全部が表示領域内に含まれている状態で、表示領域内を移動」とは、回転灯装置60の全部が表示領域内にある状態、すなわち、表示領域を通して、回転灯装置60の全部を視認できる状態のまま、回転灯装置60が表示領域内を移動することを意味するものである。
【００２３】
（作用）
本発明によれば、回転灯装置60は、当該回転灯装置60の全部が表示領域内に含まれている状態で、表示領域内を移動することができる。
したがって、回転灯装置60が表示領域外から表示領域内へ出現したり、回転灯装置60が表示領域内から表示領域外へ隠れたりするのみならず、回転灯装置60全体が表示領域内を移動する旨を視認することができる。
すなわち、遊技者は、回転灯装置60全体が表示領域内を移動するという奇抜かつ斬新な演出を楽しむことができることとなるため、回転灯装置60による演出に対する興趣を更に高めることができることとなる。
【００２４】
また、回転灯装置60は表示領域内において、自由な位置で停止することもできるため、たとえば、回転灯装置60の表示領域内における停止位置による演出を行うことも可能となる。
したがって、回転灯装置60による演出のパターンを更に増やすことができることとなるため、遊技性の更なる向上を図ることができることとなる。
【発明の効果】
【００２５】
本発明は、以上のように構成されているので、以下に記載されるような効果を奏する。
（請求項１）
すなわち、請求項１記載の発明によれば、回転灯装置による演出のパターンを増やすことができるとともに、回転灯装置による演出に対する興趣を高めることで、遊技性を向上させることが可能な遊技機を提供することができる。
（請求項２）
すなわち、請求項２記載の発明によれば、請求項１記載の発明の効果に加え、回転灯装置による演出のパターンをさらに増やすことができ、回転灯装置よる演出に対する興趣もさらに高めることが可能な遊技機を提供することができる。
【発明を実施するための最良の形態】
【００２６】
（１）第１の実施の形態
以下、本発明の第１の実施の形態を図面を参照しつつ説明する。
（図面の説明）
図１から図１２までは、本発明の第１の実施の形態を示すものである。
図１は、スロットマシンＳを示す正面図である。図２は、スロットマシンＳを分解した状態を示す斜視図である。図３は、上扉装飾体6を示す正面図である。図４は、図３のＡ−Ａ線断面図である。図５は、図３のＢ−Ｂ線断面図である。図６は、図３のＣ−Ｃ線断面図である。図７は、上扉装飾体6を取り外した上扉30を示す斜視図である。図８は、上扉装飾体6を分解した状態を示す斜視図である。図９は、回転灯装置60を分解した状態を示す斜視図である。図１０は、回転灯装置60を示す側断面図である。図１１は、スロットマシンＳの制御装置180の入力及び出力の概略を示すブロック図である。図１２は、回転灯装置60の出没処理の概略を示すフローである。
【００２７】
また、図１３は、本発明の第１の実施の形態の一の変形例を示すものであり、上扉装飾体6を示す正面図である。
本実施の形態におけるスロットマシンＳは、図２に示すように、大きく分けて、正面側に開口部11を有する筐体1、筐体1内部に着脱自在に設けられる交換ユニット2、及び、筐体1の開口部11を開閉可能に塞ぐ前扉3から構成されている。そして、この前扉3は、筐体1の開口上部13を開閉可能に塞ぐ上扉30、筐体1の開口下部14を開閉可能に塞ぐ下扉40とに分割されている。
（筐体1）
筐体1は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には電源ユニット4が固定され、ホッパーユニット5が設置されている。
【００２８】
ここで、電源ユニット4は、特に図示しないが電源装置が内装されていると共に、ホール管理者が種々の設定を行うためのスイッチ等を有している。ホッパーユニット5はメダルを貯留するとともに入賞時等にはメダルを払い出す払い出し装置である。電源ユニット4及びホッパーユニット5は、いわゆる「面替え」に際し、必ずしも交換する必要のないものであり、遊技機交換時には設置されたままにしておけるようになっているものである。
また、正面左側の側板16には、前記上扉30及び下扉40を係合させ、回転自在に支持するためのヒンジ19が、上下方向に間隔をおいて二つずつ設けられている。
（交換ユニット2）
交換ユニット2は、種々の部品を設置あるいは固定するための支持体21と、この支持体21に固定されたリールユニット20及び基板ユニット24とから形成されている。
【００２９】
支持体21は、方形状の金属枠からなり、リールユニット20及び基板ユニット24を筐体内部に着脱自在に固定するとともに、リールユニット20及び基板ユニット24を一体的に取り扱い可能とするものである。なお、支持体21は、他の構成部品（例えば演出用の表示装置）を固定設置可能であってもかまわない。
ここで、リールユニット20は、スロットマシンＳの主たる遊技装置であって、周囲に複数の図柄を表示した３個の回転リール23と、特に図示しないが、各回転リール23を回転させるための駆動モーターを有している。また、前記基板ユニット24は、基板ケース内に種々の電子部品を搭載した制御基板を収納したものであり、遊技及びスロットマシンＳの作動を制御するためのメイン基板24Aと、各種演出を行うためのサブ基板24Bを備えている。
【００３０】
なお、本実施の形態におけるスロットマシンＳは、当該スロットマシンＳを制御するための制御装置180を備えるが、この制御装置180のうち遊技及びスロットマシンＳの作動を制御するための遊技制御装置190は前記メイン基板24Aにより構成され、この制御装置180のうち各種演出を制御するための演出制御装置200は前記サブ基板24Bにより構成されるものとなっている。
交換ユニット2は、筐体1の中板12の上に乗せ、開口上部13内部に収納されるものである。そして、筐体1の側板16の内側に設けられたクリップなどの固定装置（図示せず）によりに固定される。
【００３１】
（上扉30）
上扉30は、筐体1のヒンジ19に回転自在に軸支された板状の扉であり、図１に示すように、略中央部に前記回転リール23を正面側から見ることができる図柄表示窓31Aを有し、図柄表示窓31Aの上方には、演出表示を行うための上扉装飾体6が設けられている。すなわち、上扉30は、図１に示すように、上扉30の骨格となる扉枠32に、前記図柄表示窓31Aを有する上パネル31が固定されているとともに、扉枠32の正面側に設けられた装飾体固定部（図示せず）を介して、上扉装飾体6を着脱自在に取り付け可能な構成となっている。
ここで、装飾体固定部（図示せず）は、後述する上扉装飾体6の背面側に設けられたネジ孔を有する扉枠固定部（図示せず）と合致する貫通孔であり、扉枠32の背面側から図示しないネジでネジ止めすることにより、上扉装飾体6を固定することができるものである。
【００３２】
また、図２に示すように、扉枠32の高さ方向略中央部の左右両端部には、音声を出力するためのスピーカー装置35が裏面側から取り付けられている。そして、扉枠32の正面側に設けられた開口部から、スピーカー装置35のスピーカーコーンが正面側に向かって配置されている。
上扉30を閉じると、ヒンジ19の反対側に設けられたラッチ錠により自動的にロックされ、筐体1の開口上部13が密閉される。また、下扉40を解放した状態で、特に図示しないが扉枠32の下側に設けられた解除つまみを下方に引き下げることにより、上扉30のロックが解除されるようになっている。
【００３３】
（下扉40）
下扉40は、筐体1のヒンジ19に回転自在に軸支された上扉30よりも幅厚の扉であり、下扉40の上部は、スロットマシンＳを作動させるためのカウンター状の操作部41となっている。また、下扉40の下部には、ホッパーユニット5から払い出されたメダルを貯めておくことができる下皿46が形成されており、下皿46と前記操作部41の間には、遊技内容その他の表示をするための下パネル47が嵌め込まれている。
前記操作部41としては、下扉40の上面右端にはメダル投入口42及び上面左側に設けられたベットスイッチ43、正面側にはスタートスイッチ44及びストップスイッチ45及び鍵穴40Aが設けられている。また、メダル投入口42の下方には投入スイッチ49が内蔵されている。なお、ベットスイッチ43とは、貯留メダルをメダル投入に代えるためのものであり、投入スイッチ49はメダル投入口42に投入された遊技メダルを検知するためのものであり、スタートスイッチ44及びストップスイッチ45は、回転リール23の回転を開始及び停止させるためのものである。また、鍵穴40Aは、前扉3を解錠するためのものである。
【００３４】
なおスロットマシンＳは、遊技制御装置190（メイン基板24A）により行われる当選判定の抽選結果が所定の当選役に当選し、前記ストップスイッチ45の操作により当選図柄が入賞の態様となるように回転リール23を停止させることができると入賞となり、ホッパーユニット5からメダルが払い出されたり、ボーナスゲームなどの有利な遊技が開始されるようになっている。
さらに、図２に示すように、下扉40の裏面側には、前記メダル投入口42から投入されたメダルを誘導しながらメダルの正偽を判断するためのメダルセレクター48が設けられている。そして、下扉40を閉めると、ラッチ錠により自動的にロックされ、筐体１の開口下部14が密閉されるものである。また、前記鍵穴40Aに所定の鍵を差し込んで回すと、下扉40のロックが解除され、下扉40を解放することにより、上扉30のロックを解除することができるようになっている。
【００３５】
（上扉装飾体6）
上扉装飾体6は、図１及び図３に示すように、上扉30の正面上部に着脱自在に固定される演出用ブロックであって、中空箱形の本体ベース50に種々の演出用デバイスを取り付けた構造になっている。また、この上扉装飾体6の内部の所定領域は、後述する如く、回転灯装置60を表示するための表示領域となっている。
具体的には、図３及び図７に示すように、本体ベース50（庇部50A）の正面上側中央部及び正面上側角隅部には電飾体90が、正面下側の左右にはスピーカーボックス70がそれぞれ設けられている。また、本体ベース50の正面中央であって、当該本体ベース50の内部には、回転灯装置60が設けられている。したがって、上扉装飾体6を正面側から見ると、前記回転灯装置60は、本体ベース50の正面上側中央部に設けられた電飾体90の下側（庇部50Aの正面側垂下壁50Dの下側）に位置するように見える。また、前記回転灯装置60の背面側には、発光面88を有するバックライトユニット80が設けられている。
【００３６】
そして、本体ベース50の正面は、透明なプラスチックにより成型した正面視略Ｙ字型の正面カバー58により覆われており、図３に示すように、この正面カバー58を通して、正面側から前記回転灯装置60及びバックライトユニット80の発光面88を見ることができるようになっている。
なお、後述する如く、前記回転灯装置60は、本体ベース50の正面側上側中央部に設けられた電飾体90の後ろ側（庇部50Aの正面側垂下壁50Dの後ろ側）に回転灯装置60の全部が隠れる位置（以下、「不可視位置」とする。）まで上方向に移動することができ、また、前記電飾体90の下側（庇部50Aの正面側垂下壁の下側）に回転灯装置60の全体が現れる位置（以下、「可視位置」とする。）まで下方向に移動することができるように形成されている。そして、回転灯装置60の全部が電飾体90の裏側（庇部50Aの正面側垂下壁50Dの後ろ側）に隠れると、前記正面カバー58を通して、回転灯装置60の全部を見ることができなくなり、また、回転灯装置60の全部が電飾体90の下側（庇部50Aの正面側垂下壁50Dの下側）に現れると、前記正面カバー58を通して、回転灯装置60の全部を見ることができるようになっている。
【００３７】
すなわち、上扉装飾体6の内部における前記電飾体90の下側（庇部50Aの正面側垂下壁50Dの下側）に対応する領域が表示領域に該当することとなる。
（本体ベース50）
本体ベース50は、図４及び図８に示すように、正面側から背面側に貫通する空間部51を有する中空の枠部材であって、上扉30の扉枠32に取り付けられる方形の固定枠50Cの上部から手前側（本体ベース50を扉枠32に取り付けたときの正面側）に張り出す庇部50Aと、固定枠50Cの下部から手前側に張り出す底部突起50Bを有している。
前記庇部50Aには、電飾体90を取り付けるための電飾体取り付け部55が設けられている。ここで、電飾体90は、透光性のある着色カバー（ランプカバー92,93）の内部に発光体91を設けたものであり（図４参照）、発光体91を点灯・点滅させて入賞の報知その他の演出を行うためのものである。各電飾体取り付け部55には、ＬＥＤ素子や電球などの発光体91が設けられているとともに、庇部50Aの中央部にある電飾体取り付け部55にはランプカバー93が、庇部50Aの左右の角隅部にある電飾体取り付け部55にはランプカバー92が、それぞれ取り付けられるようになっている。
【００３８】
また、庇部50Aの左右に位置する電飾体取り付け部55には、ランプカバー92を固定するためのランプカバー固定部56と、正面カバー58を固定するための正面カバー固定部57がそれぞれ設けられている。ここで、前記ランプカバー固定部56は、図６及び図８に示すように、庇部50Aの下方に形成された貫通孔であって、背面側からネジを挿通させることができるものである。また、前記正面カバー固定部57は、前記ランプカバー固定部56よりも外側下方に設けられたネジ孔であって、正面側からネジをねじ込むことができるものである。なお、ランプカバー92と正面カバー58は、上扉装飾体6を扉枠32に装着したままで、本体ベース50から着脱自在となっているが、これについては後述する。
【００３９】
前記底部突起50Bの左右の角隅部には、スピーカーボックス70を収納するためのスピーカーボックス収納部53が形成されており、前記空間部51の下側中央部、すなわち二つのスピーカーボックス収納部53の間には、下方に窪んだ凹部52が形成されている。そして、凹部52の両側、すなわち二つのスピーカーボックス収納部53の上側は、一段高くなった段部であるステージ部54となっている。また、ステージ部54には、開口部が形成されており、この開口部は、スピーカーボックス70の上面75が嵌り込む形状に形成されている。そして、スピーカーボックス収納部53にスピーカーボックス70を収納すると、開口部がスピーカーボックス70の上面75によって塞がれるようになっている（図５参照）。
【００４０】
さらに、本体ベース50の背面側には、上扉装飾体6の演出用構成部品を支持固定するとともに、上扉装飾体6を上扉30に固定するための背面固定部（図示しておらず）が設けられている。具体的には、前記背面固定部には、バックライトユニット80、及び、スピーカーボックス70を支持及び固定するためのネジ孔をそれぞれ有している。また、前記背面固定部には、後述する移動機構部110の収納ケース111を支持及び固定するためのネジ孔をそれぞれ有している。
そして、所定のネジを螺合することにより、バックライトユニット80、後述する移動機構部110の収納ケース111、及び、スピーカーボックス70を本体ベース50に固定することができるようになっている。また、前記背面固定部には、本体ベース50を上扉30の扉枠32に固定するためのネジ孔を有している。そして、所定のネジを螺合することにより、本体ベース50を上扉30の扉枠32に固定することができるようになっている。
【００４１】
そして、図４に示すように、前記庇部50Aの下方に固定した移動機構部110の収納ケース111に回転灯装置60を取り付けると、前記凹部52の上方に回転灯装置60のレンズが位置するようになっており、さらに、本体ベース50の背面側からバックライトユニット80を取り付け、正面側から正面カバー58を取り付けると、空間部51が閉塞されるようになっている。
（ランプカバー92及び正面カバー58）
庇部50Aの上側隅角部に設けられるランプカバー92には、図６及び図８に示すように、背面側に突設されたカバーネジ部92aが設けられており、ランプカバー固定部56とカバーネジ部92aを合致させて、背面側からネジでネジ止めすることにより、本体ベース50にランプカバー92が固定されるようなっている。そして、上扉30の背面側からネジを外すことにより、扉枠32に本体ベース50を固定したままで、本体ベース50からランプカバー92を取り外すことができるようになっている。
【００４２】
一方、正面カバー58には、ネジ挿通孔58aが設けられており、正面カバー固定部57とネジ挿通孔58aを合致させて、正面側からネジでネジ止めすることにより、本体ベース50に正面カバー58が固定されるようになっている。そして、正面側からネジを外すことにより、本体ベース50から正面カバー58を取り外すことができるようになっている。
さらに、図６に示すように、正面カバー固定部57は、ランプカバー92を取り外さないと露出しない位置に形成してある。従って、正面カバー58を取り外す場合には、まずランプカバー92を取り外さなければならない。
（移動機構部110（回転灯装置移動手段100））
移動機構部110は、後述する回転灯装置60を上下方向に移動させるための回転灯装置移動手段100を有するものであって、本体ベース50の庇部50Aの正面側垂下壁50Dの後ろ側に構成されているものである。具体的には、移動機構部110は、大きく分けて、回転灯装置60を移動させるための各種部材を収納するための収納ケース111と、回転灯装置60の上下方向の移動を案内するためのガイド113と、から構成されている。
【００４３】
前記収納ケース111は、開口部を有する箱状部材であって、当該収納ケース111を本体ベース50の庇部50Aの正面側垂下壁50Dの後ろ側に固定した際において、下方が開口するものとなっている。
また、図４に示すように、この収納ケース111の内部には、回転軸が左右方向を向き、この回転軸を中心として前後方向に回転するウインチ112が２つ、所定の間隔をおいて前後に並んで取り付けられている。なお、特に図示していないが、前記各ウインチ112にはそれぞれ、回転軸を回転させるための駆動モーター（回転灯装置移動手段100）が備えられている。
【００４４】
また、各ウインチ112にはそれぞれ、ワイヤー115が設けられている。具体的には、ワイヤー115の一端がウインチ112の回転軸に固定されるとともに、このワイヤー115の他端が、後述する回転灯装置60の上面に固定されたローラー116を介して、収納ケース111の内壁に固定される。すなわち、前記回転灯装置60が、前記ワイヤー115により、収納ケース111の下方に吊り下げられるようになっている。そして、駆動モーター（図示しておらず）が作動することにより、ウインチ112の回転軸が前後方向に回転し、ウインチ112がワイヤー115を巻上げたり、巻下げたりするものとなっている。
また、前記ガイド113は、図４に示すように、収納ケース111の正面を構成する正面板の下面、及び、収納ケース111の背面を構成する背面板の下面にそれぞれ、下方に向けて突出するように設けた長方形状板である。そして、このガイド113は、上述のようにワイヤー115により吊り下げられた回転灯装置60を前後から挟むようになっている。すなわち、前記回転灯装置60は、収納ケース111の正面側に位置するガイド113と、収納ケース111の背面側に位置するガイド113との間に位置するものとなっている。これにより、回転灯装置60は、前記ガイド113により案内されて、上下方向に移動するようになっている。
【００４５】
（回転灯装置60）
回転灯装置60は、図３又は図４に示すように、本体ベース50の庇部50Aの正面側垂下壁50Dに構成されている前記移動機構部110を介して吊り下げられる演出用ユニットであって、図１０に示すように、大きく分けて、本体ケース61と、つなぎ部62と、レンズ63とを有している。ここで、本体ケース61は、駆動モーター68その他の駆動部品を収納するためのケースであり、レンズ63は内蔵される光源としてのランプ65の光を透過させる断面略Ｕ字型の着色カバーである。また、つなぎ部62は、本体ケース61にレンズ63を取り付けるためのものである。そして、レンズ63の内部に、光源としてのランプ65の周囲を水平方向に旋回可能に設けられた回転反射板64Aを回転させることにより、光源としてのランプ65の光が投射される方向を回転変位させることができるようになっている。
【００４６】
前記本体ケース61は、図９及び図１０に示すように、底部（移動機構部110に吊り下げられる際において下方となる側）が開口する筒体であって、底部開口の対向側の表面（移動機構部110に吊り下げられる際において上面となる面）には、左右方向を向くように配置された回転軸を中心として前後方向に回転可能なローラー116が、所定間隔をおいて前後に二つ並んで設けられている。そして、このローラー116は、前記移動機構部110のウインチ112に設けられたワイヤー115により吊り下げられるようになっている。
また、本体ケース61の内部には、図９又は図１０に示すように、開口部を塞ぐベースプレート61Aが嵌め込まれているとともに、ベースプレート61Aの内側（本体ケース61の筒内側）には、モーター軸の先端にモーターギア68Aを有する駆動モーター68が内蔵されている。前記モーターギア68Aは、前記ベースプレート61Aから外側（反駆動モーター68側）に突出しており、ベースプレート61Aの外面には、前記モーターギア68Aと噛合する減速ギア68Bと、支持部材69が取り付けられている。ここで、減速ギア68Bは、図９に示すように、大歯車と小歯車が同軸に形成された二段ギアであり、減速ギア68Bの大歯車とモーターギア68Aが噛合する位置に取り付けられている。また、前記支持部材69には、ランプ65を取り付けるためのソケット67が固定されているとともに、反射板固定部66が水平方向に回転可能に取り付けられている。
【００４７】
ここで、反射板固定部66は、回転反射板64Aを備えた反射板ユニット64に前記駆動モーター68の回転を伝達して回転させるためのものであり、本体ケース61側に反射板ギア66Aが形成されているとともに、反射板ギア66Aの反対面に反射板ユニット64を固定可能に形成されている。そして、反射板ギア66Aと前記減速ギア68Bの小歯車が噛合することにより、駆動モーター68のモーター軸の回転が伝達され、駆動モーター68の駆動に伴い反射板ユニット64が反射板固定部66と一体で回転するようになっている。
前記反射板ユニット64は、図１０に示すように、回転中心側に向き、光源としてのランプ65からの光を反射する凹面である反射面64Dを有する回転反射板64Aと、薄型円筒状の台座部64Bとから成り、図１０に示すように、台座部64Bを反射板固定部66に固定したときに、台座部64Bの中央に形成された丸孔64Cから、ソケット67に取り付けたランプ65が突出するようになっている。
【００４８】
そして、前記ランプ65の外周側に前記回転反射板64Aの反射面64Dが位置し、反射板ユニット64が回転することにより、回転反射板64Aがランプ65を中心にして周囲を回るようになっている。
前記つなぎ部62は、図９又は図１０に示すように、取り付け部62Cを介して本体ケース61に着脱自在に固定される環状部材であり、取り付け部62Cの反対側の外周には、レンズ63の内側に形成されたネジ部63Aと螺合するネジ部62Bが形成されている。また、つなぎ部62の円形の開口部62Aは、反射板ユニット64の台座部64Bの直径よりも大きく形成されており、つなぎ部62を本体ケース61に固定した状態で、反射板ユニット64が回転可能となるよう形成されている。
【００４９】
そして、回転灯装置60は、図４に示すように、前記移動機構部110のウインチ112に設けられたワイヤー115により、前記ローラー116を介して、移動機構部110に吊り下げられるようになっている。すなわち、回転灯装置60は、本体ベース50の庇部50Aの下方に吊り下げられるようになっている。
そして、前記ウインチ112に設けられた駆動モーター（特に図示しておらず）が作動することにより、ウインチ112がワイヤー115を巻上げると、これに伴って、回転灯装置60が、前記ガイド113に案内されながら上方向に移動することとなる。そして、この回転灯装置60は、上述の如く、本体ベース50における庇部50Aの正面側垂下壁50Dの後ろ側に、回転灯装置60の全部（本体ケース61、つなぎ部62及びレンズ63）が隠れる位置、すなわち、不可視位置まで上方向に移動することができる。そして、前記不可視位置まで移動した回転灯装置60は、その全部を正面側から視認することができないこととなる。
【００５０】
一方、ウインチ112がワイヤー115を巻下げると、これに伴って、回転灯装置60が、前記ガイド113に案内されながら下方向に移動することとなる。そして、この回転灯装置60は、上述の如く、本体ベース50における庇部50Aの正面側垂下壁50Dの下側に、回転灯装置60の全部（本体ケース61、つなぎ部62及びレンズ63）が現れる位置、すなわち、可視位置まで下方向に移動することができる。そして、前記可視位置まで移動した回転灯装置60は、その全部を正面側から視認することができることとなる。
なお、本実施の形態では、特定導入遊技（ＢＢゲーム）に当選していないとき（初期状態）は、ウインチ112によってワイヤー115が巻上げられて、回転灯装置60は、不可視位置に位置するものとなっている。
【００５１】
なお、回転灯装置60を用いた演出の具体例としては、通常時はランプ65を消灯しておくとともに回転反射板64Aも停止させておき、遊技中の所定時に、ランプ65を点灯させて回転反射板64Aを回転させることにより、あるいはランプ65は消灯したまま回転反射板64Aのみを回転させることにより、当選や入賞を報知することができる。
また、後述する如く、回転灯装置60を前記表示領域に対して出没させることにより、当選や入賞を報知することもできる。
（スピーカーボックス70）
スピーカーボックス70は、扉枠32に固定されたスピーカー装置35から出力される音声を、遊技機の正面側に向けさせるためのものであり、図５及び図８に示すように、複数の小孔が形成されたグリル面71を有しこのグリル面71の対向側（背面側）が開口する中空の本体箱72と、本体箱72の背面開口を塞ぐ背面板73とから構成されている。
【００５２】
前記本体箱72の上面75は、本体ベース50のステージ部54に形成された開口部（図示しておらず）と合致するように形成されており、スピーカーボックス70を、グリル面71を正面側にしてスピーカーボックス収納部53に収納したとき、ステージ部54と上面75が面一になるように形成されている。このように、スピーカーボックス70の上面75がステージ部54の一部を兼ねるように形成してあるので、本体ベース50の軽量化を図ることができる。
前記背面板73には、中央よりもややずれた位置に略円形の音通孔74が形成されている。音通孔74は、図５に示すように、スピーカーボックス70の装着時に扉枠32に設けられたスピーカー装置35のスピーカーコーンの位置と合致するように形成されており、スピーカー装置35から出力される音声が、音通孔74からスピーカーボックス70の内部を経て、グリル面71に設けられた小孔から座席に座った遊技者の方向に放出されるようになっている。
【００５３】
そして、スピーカーボックス70を本体ベース50に固定する場合には、まず本体箱72をスピーカーボックス収納部53に本体ベース50の背面側から収納し、ネジで固定する。そして、背面板73で背面開口を塞ぎ、ネジで固定する。
なお、このスピーカーボックス70の内部空間を有効利用して、ステージ部54において役物を用いた演出を行うことも可能である。
（バックライトユニット80）
バックライトユニット80は、図４及び図８に示すように、回転灯装置60の背面側に設置される板状の演出用ユニットであって、ベースケース（図示しておらず）と、ベースケース内に収納される導光板（図示しておらず）と、導光板の表面を覆うように前記ベースケースに取り付けられる表示フィルム83と、を有している。
【００５４】
ベースケースは、略長方形の板部材の周囲に縁部を形成した薄型箱状のケースであり、下縁部内側にはＬＥＤ素子を搭載したＬＥＤ基板が複数個設けられている。
また、前記導光板は、ベースケース内に収納される薄板状の透光部材であって、設置時における下端面からの入光を正面側に拡散させることができるように形成されている。例えば、特に図示しないが、背面側に凹凸を形成して下端面からの光線を正面側に反射させるようになっている。そして、導光板をベースケース内に収納設置すると、その下端面がベースケースに設けられたＬＥＤ素子の上側に位置するようになっている。
また、前記表示フィルム83は、ベースケースの正面側を覆うように取り付けられる透光性を有するフィルムであって、特に図示しないが、表面にはキャラクターの絵などが印刷されている。
【００５５】
バックライトユニット80は、ベースケースに導光板を収納した状態で、ＬＥＤ素子を発光させると、導光板の正面側が発光し、表示フィルム83がこの光を透過して、表示フィルム83の表面が発光して見える。すなわち、導光板と表示フィルム83により、バックライトユニット80の発光面88が形成されることとなる。
バックライトユニット80を用いた演出の具体例としては、例えば通常時にはＬＥＤ素子をすべて発光させて発光面88を点灯状態にしておき、遊技中の所定時にＬＥＤ素子をすべて消灯して発光面88の全体を消灯状態にさせたり、あるいは複数あるＬＥＤ素子を交互に又は順次点灯点滅させて、発光面88の一部を点灯状態とさせたり、発光面88が端から徐々に点灯又は消灯状態となっていくような表示を行うことにより、当選や入賞を報知することができる。
【００５６】
（上扉装飾体6の着脱）
上記構成を有する上扉装飾体6を上扉30の扉枠32に取り付ける場合には、ランプカバー92,93及び正面カバー58を取り付けた本体カバー50に、移動機構部110の収納ケース111、スピーカーボックス70を固定し、その後、移動機構部110の収納ケース111に回転灯装置60を取り付け（回転灯装置60の吊り下げ）、さらにその後、バックライトユニット80を取り付ける。そして、扉枠32の正面側に上扉装飾体6を位置させ、扉枠32の背面側からネジで固定する。上扉装飾体6を取り外す場合には、扉枠32の背面側からネジを外せばよい。
（制御装置180）
ここで、スロットマシンＳの制御装置180について説明する。
【００５７】
スロットマシンＳの内部には、特に図示していないが、スロットマシンＳを制御するための制御装置180が内蔵されている。この制御装置180は、上述の如く、メイン基板24A及びサブ基板24Bによって構成されるものであり、特に図示していないが、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、後述の遊技制御装置190及び演出制御装置200を構成する。
【００５８】
また、図１１に示すように、制御装置180の入力段としては、投入スイッチ49、ベットスイッチ43、スタートスイッチ44、及び、ストップスイッチ45などが接続されている。
また、図１１に示すように、制御装置180の出力段としては、リールユニット20、ホッパーユニット5、駆動モーター（回転灯装置移動手段100）、及び、演出を行うための各種演出装置（スピーカー装置35、回転灯装置60、バックライトユニット80）などが接続されている。
なお、制御装置180の入力段、出力段としては、上記したものに限定されるわけではない。
【００５９】
（遊技制御装置190）
遊技制御装置190は、スロットマシンＳにおける遊技を制御するためのものであり、具体的には、スタートスイッチ44及びストップスイッチ45の操作により、回転リール23の回転及び停止を制御するためのものである。
この遊技制御装置190は、一般的な遊技である通常遊技を制御するための通常遊技制御手段191、通常遊技よりも有利な遊技である特別遊技（ビッグボーナスゲーム（ＢＢゲーム）、レギュラーボーナスゲーム（ＲＢゲーム）など）を制御するための特別遊技制御手段192、予め定めた抽選確率に基づいて、予め定められた当選役に関する抽選を行うための当選抽選手段193、所定の当選役の当選時の遊技において、当該当選役が入賞しなかった場合に当該当選役を入賞させる権利を次遊技以降に持ち越すための持ち越し手段194、各回転リール23の回転停止を制御するための停止制御手段195、及び、当選抽選手段193の抽選結果と回転リール23の停止図柄とに基づいて、入賞処理を行うための入賞判定手段196などを備える。
【００６０】
なお、遊技制御装置190の制御手段としては、上記したものに限定されるわけではない。
以下、本実施の形態におけるスロットマシンＳの遊技の概略を説明する。
遊技メダルの投入を条件に、スタートスイッチ44を操作すると、スタート信号が出力される。なおここで、遊技メダルの投入には、メダル投入口42からの遊技メダルの投入と、クレジットされている遊技メダルの投入とがある。また、クレジットされている遊技メダルの投入は、ベットスイッチ43の操作により行われる。
また、スタート信号の入力を契機に、予め定められた当選役のいずれかに当選したか又はハズレかの抽選が行われるとともに、３個総ての回転リール23の回転が開始する。また、抽選では、遊技メダルの投入枚数に応じて、当選役の当選確率が変動するようになっている。
【００６１】
そして、３個のストップスイッチ45のうちの１個を操作すると、当該ストップスイッチ45に対応した回転リール23の回転が停止する。そして、３個総てのストップスイッチ45を操作すると、３個総ての回転リール23の回転が停止する。このとき、有効な入賞ライン上に所定の図柄が所定の配列で揃うと、所定の当選役の入賞となり、入賞態様に応じた枚数の遊技メダルが払い出される。また、遊技メダルの払い出しには、メダル皿46への遊技メダルの払い出しと、クレジットによる遊技メダルの払い出しとがある。また、遊技メダルの払い出しに代えて、又は、遊技メダルの払い出しとともに、遊技者に対して所定の利益が付与されることもある。
【００６２】
また、入賞には、特別遊技としてのビッグボーナスゲーム（ＢＢゲーム）への移行に係る特定導入遊技入賞、特別遊技としてのレギュラーボーナスゲーム（ＲＢゲーム）への移行に係る特定遊技入賞、所定枚数（たとえば、１５枚）の遊技メダルの払い出しに係る小役入賞、再遊技の実行にリプレイ入賞などがある。
また、特別遊技には、上記ＢＢゲーム、ＲＢゲームの他、当選抽選手段193の当選抽選結果に関する情報を報知するアシストタイム遊技（ＡＴゲーム）、特定の図柄についての停止制御が中止可能なチャレンジタイム遊技（ＣＴゲーム）、通常遊技よりもリプレイ当選の当選確率が高く設定されたリプレイタイム遊技（ＲＴゲーム）、所定の遊技期間において特定導入遊技入賞（ＢＢゲーム入賞）が困難となる制御を行うことで複数の特定導入遊技当選の権利を貯留可能なストックタイム遊技（ＳＴゲーム）などを備えることもできる。
【００６３】
（演出制御装置200）
演出制御装置200は、各種演出を行うためのものであり、具体的には、演出を行うためのスピーカー装置35、回転灯装置60、バックライトユニット80など各種演出装置を制御するためのものである。
この演出制御装置200は、各種演出を実行するための演出データを記憶する演出データ記憶手段201、スピーカー装置35による演出を制御するためのスピーカー装置制御手段202、回転灯装置60による演出を制御するための回転灯装置制御手段203、バックライトユニット80による演出を制御するためのバックライトユニット制御手段204、及び、回転灯装置60の移動による演出を行うために、移動機構部110における駆動モーター（図示しておらず）の作動を制御するための作動制御手段210などを備える。
【００６４】
なお、遊技制御装置190の制御手段としては、上記したものに限定されるわけではない。
（作動制御手段210）
作動制御手段210は、回転灯装置60の移動による演出を行うために、移動機構部110における回転灯装置移動手段100としての駆動モーター（図示しておらず）の作動を制御するためのものであり、より具体的には、移動機構部110におけるウインチ112に設けられた駆動モーター（図示しておらず）の駆動を制御するためのものである。
本実施の形態におけるスロットマシンＳでは、作動制御手段210は、当選抽選手段193の抽選により特定導入遊技（ＢＢゲーム）に当選したことを契機として、前記駆動モーターの駆動を開始し、特定導入遊技（ＢＢゲーム）に入賞し、回転灯装置60が所定位置まで移動したことを契機として、前記駆動モーターの駆動を終了させるように制御する。
【００６５】
換言すれば、作動制御手段210は、遊技制御装置190から出力されたＢＢゲーム当選信号の受信を契機として、作動開始信号を出力することにより、前記駆動モーターの駆動を開始するように制御する。また、作動制御手段210は、遊技制御装置190から出力されたＢＢゲーム入賞信号を受信した後、、回転灯装置60が所定位置まで移動したことを契機として、作動終了信号を出力することにより、前記駆動モーターの駆動を終了するように制御する。
より具体的には、ＢＢゲームに当選することにより、作動制御手段210が前記駆動モーターの駆動を開始すると、正面側のウインチ112が前方向に回転を開始するとともに、背面側のウインチ112が後方向に回転を開始する。そして、このウインチ112の回転により、各ウインチ112のそれぞれに巻きつけられたワイヤー115が、巻下げられていくこととなる。すると、これに伴って、各ワイヤー115によって吊り下げられている回転灯装置60が下方向に移動することとなる。ここで、上述の如く、ＢＢゲームに当選していないとき（通常状態）は、回転灯装置60は、その全部が庇部50Aの正面側垂下壁50Dの後ろ側に隠れる位置（不可視位置）に配置されているため、回転灯装置60が下方向に移動するに伴って、この回転灯装置60が庇部50Aの正面側垂下壁50Dの下側に徐々に現れてくることとなる。そして、ワイヤー112が下限まで巻下げられると、回転灯装置60の全部が、庇部50Aの正面側垂下壁50Dの下側に現れることとなる。
【００６６】
また、ワイヤー112が下限まで巻下げられると、正面側のウインチ112が後方向に回転を開始するとともに、背面側のウインチ112が前方向に回転を開始する。そして、このウインチ112の回転により、各ウインチ112のそれぞれに設けられていたワイヤー115が、巻上げられていくこととなる。すると、これに伴って、各ワイヤー115によって吊り下げられている回転灯装置60が上方向に移動することとなる。そして、回転灯装置60が上方向に移動するに伴って、この回転灯装置60が庇部50Aの正面側垂下壁50Dの後ろ側に徐々に隠れていくこととなる。そして、ワイヤー112が上限まで巻上げられると、回転灯装置60の全部が、庇部50Aの正面側垂下壁50Dの後ろ側に隠れることとなる。
【００６７】
そして、ＢＢゲームに入賞するまで、ワイヤー115の上下動が繰り返されることとなり、これに伴って、回転灯装置60も、不可視位置から可視位置までの間を、上下方向に往復移動することとなる。
そして、ＢＢゲームに入賞すると、ワイヤー115が上限まで巻上げられた後、作動制御手段210は駆動モーターの駆動を終了する。換言すれば、ＢＢゲームに入賞すると、回転灯装置60が不可視位置に配置されるまで、ワイヤー115が巻上げられた後、前記駆動モーターの駆動が終了する。
（回転灯装置60の出没処理）
上記スロットマシンＳにおける回転灯装置60の出没処理の概略について、図１２のフローを用いて説明する。
【００６８】
ステップ１００において、当選抽選手段193による抽選の結果に基づいて、特定導入遊技（ＢＢゲーム）に当選したか否かが判定される。そして、ＢＢゲームに当選したと判定された場合、次のステップ１０１に進む。一方、ＢＢゲームに当選していないと判定された場合、ステップ１００に戻る。
ステップ１０１において、作動制御手段210により、作動開始信号が出力される。そして、ステップ１０２に進む。
ステップ１０２において、作動制御手段210により出力された作動開始信号に基づいて、移動機構部110のウインチ112に設けられた駆動モーター（図示しておらず）が駆動を開始すると共に、回転灯装置60が移動を開始する。具体的には、この回転灯装置60は、不可視位置から可視位置までの間を、往復移動（出没）することとなる。そして、ステップ１０３に進む。
【００６９】
ステップ１０３において、入賞判定手段196により、特定導入遊技（ＢＢゲーム）に入賞したか否かが判定される。そして、ＢＢゲームに入賞したと判定された場合、次のステップ１０４に進む。一方、ＢＢゲームに入賞していないと判定された場合、ステップ１０３に戻る。
ステップ１０４において、回転灯装置60が不可視位置まで移動したか否か、すなわち、移動機構部110のワイヤー115が上限まで巻上げられたか否かが判定される。そして、回転灯装置60が不可視位置まで移動したと判定された場合、次のステップ１０５に進む。一方、回転灯装置60が不可視位置まで移動していないと判定された場合、ステップ１０４に戻る。
【００７０】
ステップ１０５において、作動制御手段210により、作動終了信号が出力される。そして、ステップ１０６に進む。
ステップ１０６において、作動制御手段210により出力された作動終了信号に基づいて、移動機構部110のウインチ112に設けられた駆動モーターが駆動を終了し、回転灯装置60の出没処理が終了する。
（スロットマシンＳにおける演出）
本実施の形態に係るスロットマシンＳにおいては、上扉装飾体6に備えられた各演出用ユニットによる演出表示を組み合わせて、種々の報知演出が可能である。すなわち、表示領域に対しての回転灯装置60の出没、回転灯装置60の点灯点滅、バックライトユニット80の点灯点滅に、電飾体90の点灯点滅やスピーカー装置35からの音声出力を適宜組み合わせて、信頼度や期待度の異なる当選報知を行うことができる。
【００７１】
さらに、本実施の形態に係る上扉装飾体6においては、本体ベース50に取り付けられる演出用ユニットを交換するだけで、全く異なる演出態様を実現することも可能である。たとえば、前述した空間部51を利用して、可動役物を設置することが可能である。
（総括）
上述の如く、本実施の形態に係るスロットマシンＳによれば、特定導入遊技（ＢＢゲーム）に当選することを契機として、作動制御手段200が、移動機構部110のウインチ112に設けられた駆動モーター（図示しておらず）の作動を開始する。そして、駆動モーターが作動を開始することによって、回転灯装置60は、その全部が庇部50Aの正面側垂下壁50Dの後ろ側に隠れる位置（不可視位置）から、庇部50Aの正面側垂下壁50Dの下側に現れる位置（可視位置）までの間を、上下に往復移動することとなる。
【００７２】
そして、回転灯装置60が可視位置まで移動すると、遊技者は、上扉装飾体6の正面カバー58を通して、回転灯装置60を正面側から視認することができることとなる。一方、回転灯装置60が不可視位置まで移動すると、遊技者は、上扉装飾体6の正面カバー58を通して、回転灯装置60の全部を正面側から視認することができないこととなる。
すなわち、回転灯装置60が、上扉装飾体6の内部における、庇部50Aの正面側垂下壁50Dの下側に対応する領域（すなわち、表示領域）外から、表示領域内へ出現したり、回転灯装置60が表示領域内から表示領域外へ隠れたりする旨を、遊技者は視認することができることとなる。
【００７３】
したがって、遊技者は、回転灯装置60が出没するという斬新な演出を楽しむことができることとなるため、回転灯装置60による演出に対する興趣を高めることができることとなる。
また、本実施の形態に係るスロットマシンＳによれば、前記回転灯装置60の出没演出に併せて、従来通りの回転灯装置60の演出（光源の点灯、点滅、又は消灯や、回転反射板64Aの旋回又は停止）等を組み合わせた演出を行うことも可能となる。さらには、上扉装飾体6に備えられた各種演出用ユニットによる演出表示を組み合わせた演出を行うことも可能となる。
【００７４】
したがって、回転灯装置60による演出のパターンを増やすことができることとなるため、遊技性を向上させることができることとなる。
なお、上記実施の形態は、回転灯装置60を用いた演出を行うものであれば、スロットマシン以外の遊技機にも応用できる。たとえば、遊技媒体として遊技球を用いるパチンコ機や、遊技媒体として遊技球を用いてスロットマシンと同様の遊技を行わせるパロット（登録商標）遊技機に使用してもよいものである。
（変形例）
上記実施の形態における回転灯装置60は、その全部が庇部50Aの正面側垂下壁50Dの下側に現れる位置まで移動できるようにに形成されていたが、回転灯装置60の一部が庇部50Aの正面側垂下壁50Dの下側に現れる位置まで移動できるように形成することもできる。
【００７５】
具体的には、たとえば、回転灯装置60は、この回転灯装置60におけるレンズ63が、庇部50Aの正面側垂下壁50Dの下側に現れるまで、若しくは、レンズ63の半分が庇部50Aの正面側垂下壁50Dの下側に現れるまで移動できるように形成することもできる。
このような変形例においても、上記実施の形態と同様の作用、効果を奏すると共に、当選報知などにおける回転灯装置60による演出のパターンをさらに増やすことができることとなる。
また、回転灯装置60は、その全部（すなわち、本体ケース61、つなぎ部62及びレンズ63）が庇部50Aの正面側垂下壁50Dの下側に現れるまで（図３参照）移動できるだけでなく、前記状態からさらに下方に移動するように形成することもできる。すなわち、回転灯装置60の全部を視認できる状態のまま、回転灯装置60が前記表示領域内を移動可能となるように形成することもできる。
【００７６】
具体的には、たとえば、回転灯装置60は、図１３に示すように、この回転灯装置60におけるレンズ63の下端が、上扉装飾体6の凹部52の下面に接するまで移動できるように、形成することもできる。
このような変形例においても、上記実施の形態と同様の作用、効果を奏することとなる。さらに、遊技者は、回転灯装置60の全体が上扉装飾体6内を移動するという奇抜かつ斬新な演出を楽しむことができることとなるため、回転灯装置60による演出に対する興趣を更に高めることができることとなる。
また、上記実施の形態では、回転灯装置60は、ＢＢゲームに当選してから移動を開始し、当該ＢＢゲームが入賞するまで上下に往復移動するように形成されていたが、回転灯装置60は、たとえば、ＢＢゲームに当選してから移動を開始し、所定の位置に達したら移動を停止するように形成することもできる。
【００７７】
具体的には、作動制御手段210が、ＢＢゲームに当選したことを契機として、ウインチ112に設けられた駆動モーターの駆動を開始し、回転灯装置60が可視位置まで移動したことを契機として、前記駆動モーターの駆動を終了するように制御することができる。
このような変形例においても、上記実施の形態と同様の作用、効果を奏することとなる。
（２）第２の実施の形態
以下、本発明の第２の実施の形態を図面を参照しつつ説明する。
（図面の説明）
図１４及び図１５は、本発明の第２の実施の形態を示すものである。図１４は、上扉装飾体6を示す正面図である。図１５は、図１４のＥ−Ｅ線断面図である。
【００７８】
（本実施の形態の概略）
第１の実施の形態では、スピーカーボックス70における本体箱72の内部空間には何も備えられていない。これに対し、第２の実施の形態では、前記スピーカーボックス70における本体箱の内部空間に、小型の回転灯装置60が備えられるとともに、この回転灯装置60を上下動させる回転灯装置移動手段100を有する移動機構部110が構成されている。そして、この移動機構部110によって、回転灯装置60がステージ部54（スピーカーボックス70における本体箱72の上面）に対して出没可能に形成されている。
また、第１の実施の形態では、上扉装飾体6の庇部50Aの正面側垂下壁50Dの後ろ側に、回転灯装置60が吊り下げられるように取り付けられていたのに対し、第２の実施の形態では、この回転灯装置60の取り付け位置に、役物による演出を行うための吊り下げユニット135が取り付けられている。
【００７９】
第２の実施の形態は、主として、上記の点が第１の実施の形態と相違し、他については第１の実施の形態と同様である。以下、相違点を中心に第２の実施の形態を説明する。
（スピーカーボックス70）
図１５に示すように、スピーカーボックス70には、第１の実施の形態と同様に、背面側が開口する中空の本体箱72が備えられている。また、この本体箱72の上面75（ステージ部54）には上面開口76が形成されている。
また、本実施の形態における本体箱72の内部には、前記上面開口76から出没可能な回転灯装置60と、この回転灯装置60を上下方向に移動させるための移動機構部110と、が備えられている。
【００８０】
（移動機構部110（回転灯装置移動手段100）、回転灯装置60）
移動機構部110は、回転灯装置60を上下方向に移動させるための回転灯装置移動手段100を有するものである。
具体的には、移動機構部110は、図１５に示すように、本体箱72内部の上部及び下部それぞれに配置された一対のローラー133と、ローラー133に掛け渡されたベルト131と、本体箱72内部の下部に配置されたローラー133を回転駆動させるための駆動モーター132（回転灯装置移動手段100）と、により構成されている。
また、図１５に示すように、前記ベルト131の所定箇所に、レンズ63の先端が上向きとなるように回転灯装置60が取り付けられている。具体的には、前記ベルト131の所定箇所に、回転灯装置60における本体ケース61と係止可能な固定具134を備えており、この固定具134を介して、ベルト131に回転灯装置60が取り付けられる。
【００８１】
そして、前記駆動モーター132が作動することにより、本体箱72内部の下部に配置されたローラー133が上方向又は下方向に回転し、これに伴って、本体箱72内部の上部に配置されたローラー133との間に掛け渡されたベルト131も、ローラー133の回転方向と同じ方向に移動するものとなっている。そして、このベルト131の移動に伴って、ベルト131に取り付けられた回転灯装置60も、ベルト131の移動方向と同じ方向に移動するものとなっている。
また、本実施の形態では、ＢＢゲームに当選していないとき（初期状態）は、回転灯装置60は、その全体が本体箱72の内部に収納されるものとなっており、視認することができないものとなっている。また、回転灯装置60は、その全体が本体箱72の内部に収納されている位置（以下、「不可視位置」とする。）から、レンズ63のほぼ全部が本体箱72の上面開口76から現れる位置（以下、「可視位置」とする。）までの間を移動可能となっている。そして、回転灯装置60が可視位置まで移動すると、レンズ63のほぼ全部を視認することができることとなる。
【００８２】
また、本実施の形態では、作動制御手段210は、当選抽選手段193の抽選により特定導入遊技（ＢＢゲーム）に当選したことを契機として、前記駆動モーター132の駆動を開始するように制御する。そして、ＢＢゲームに入賞するまでの間、前記駆動モーター132の駆動に伴って、前記ベルト131の上下動が繰り返されることとなり、これに伴って、回転灯装置60も、不可視位置から可視位置までの間を往復移動することとなる。そして、作動制御手段210は、ＢＢゲームに入賞し、回転灯装置60が前記不可視位置まで移動したことを契機として、前記駆動モーター132の駆動を終了させるように制御する。
（吊り下げユニット135）
本実施の形態における上扉装飾体6の庇部50Aの正面側垂下壁50Dの後ろ側には、役物による演出を行うための吊り下げユニット135が取り付けられている。
【００８３】
この吊り下げユニット135は、回転や上下動をにより演出を行う吊り下げ役物136と、この吊り下げ役物136を駆動させるための役物駆動部137とを備えており、具体的には、上扉装飾体6の庇部50Aの正面側垂下壁50Dの後ろ側に、役物駆動部137が取り付けられ、この役物駆動部137に吊り下げ役物136が吊り下げられている。
前記役物駆動部137は、特に図示していないが、駆動モーターやソレノイドなどの作動装置、及び、作動装置の作動力を吊り下げ役物136に伝達するための伝達手段（歯車やベルトなど）によって構成されるものである。
また、前記吊り下げ役物136は、図１４に示すように、たとえば自動車模型などの立体物や平面物である。そして、この吊り下げ役物136は、連結部138を介して、役物駆動部137に吊り下げられるとともに、前記役物駆動部137の駆動によって回転又は上下動可能となっている。
【００８４】
具体的には、たとえば、役物駆動部137としての駆動モーターのモーター軸に、連結部138としての連結棒の一端部を連結し、連結部138の他端部に吊り下げ役物136を固定する。そして、前記駆動モーターを回転させることにより、吊り下げ役物136が水平方向に回転するように形成することができる。また、役物駆動部137として駆動モーター及びピニオンラック機構を設け、駆動モーターを回転させることによりピニオンギアが回転し、連結部138に設けたラックと噛み合って、連結部138及び吊り下げ役物136が上下動するように形成することもできる。
（総括）
上述の如く、本実施の形態に係るスロットマシンＳによれば、特定導入遊技（ＢＢゲーム）に当選することを契機として、作動制御手段200が、移動機構部110に設けられた駆動モーター132の作動を開始する。そして、駆動モーター132が作動を開始することによって、回転灯装置60は、その全体がスピーカーボックス70における本体箱72の内部に収納されている位置（不可視位置）から、レンズ63のほぼ全部が本体箱72の上面開口76から現れる位置（可視位置）までの間を、上下に往復移動することとなる。
【００８５】
そして、回転灯装置60が可視位置まで移動すると、上述の如く、回転灯装置60のレンズ63のほぼ全部が本体箱72の上面開口76から現れる。すなわち、回転灯装置60のレンズがステージ部54の上方に現れることとなる。したがって、この場合、遊技者は、上扉装飾体6の正面カバー58を通して、回転灯装置60を正面側から視認することができることとなる。一方、回転灯装置60が不可視位置まで移動すると、上述の如く、回転灯装置60の全体が本体箱72の内部に隠れることとなる。したがって、この場合、遊技者は、上扉装飾体6の正面カバー58を通して、回転灯装置60を正面側から視認することができないこととなる。
すなわち、回転灯装置60が、上扉装飾体6の内部における、ステージ部54の上方に対応する領域（いわゆる、表示領域）外から、表示領域内へ出現したり、回転灯装置60が表示領域内から表示領域外へ隠れたりする旨を、遊技者は視認することができることとなる。
【００８６】
したがって、遊技者は、回転灯装置60がステージ部54に対して出没するという斬新な演出を楽しむことができることとなるため、回転灯装置60による演出に対する興趣を高めることができることとなる。また、回転灯装置60による演出のパターンを増やすことができることとなるため、遊技性を向上させることができることとなる。
（３）第３の実施の形態
以下、本発明の第３の実施の形態を図面を参照しつつ説明する。
（図面の説明）
図１６は、本発明の第３の実施の形態を示すものであり、スロットマシンＳを示す正面図である。
【００８７】
（本実施の形態の概略）
第１の実施の形態では、上扉30の正面上部に、演出用ブロックである上扉装飾体6が着脱自在に固定され、この上扉装飾体6内部の所定領域に対して、回転灯装置60が出没可能となるように形成されている。これに対し、第２の実施の形態では、上扉装飾体6は設けられておらず、上扉30における図柄表示窓31Aよりも上方の所定領域を透過可能に形成し、前記上扉30の背面に設けられた回転灯装置60が、前記所定領域に対して出没可能となるように形成されている。
第３の実施の形態は、主として、上記の点が第１の実施の形態と相違し、他については、第１の実施の形態と同様である。以下、相違点を中心に第３の実施の形態を説明する。
【００８８】
（上扉30）
本実施の形態における上扉30には、図１６に示すように、略中央部に回転リール23を正面側から見ることができる図柄表示窓31Aが形成され、また、図柄表示窓31Aの上方に、筐体1の内部を正面側から見ることができる演出表示窓151が形成されている。
また、上扉30の背面における前記演出表示窓151の左方には、前記演出表示窓151に対して出没可能な回転灯装置60と、この回転灯装置60を左右方向に移動させるための移動機構部110と、が備えられている。また、上扉30の背面における前記演出表示窓151の右方にも、上述と同様に、回転灯装置60と、移動機構部110と、が備えられている。
【００８９】
（移動機構部110（回転灯装置移動手段100）、回転灯装置60）
移動機構部110は、回転灯装置60を左右方向に移動させるための回転灯装置移動手段100を有するものである。
具体的には、移動機構部110は、図１６に示すように、上扉30の背面に直交する回転軸を中心として左右方向に回転するピニオンギア152と、ピニオンギア152と噛み合いかつ左右方向に延びたラック153と、前記ピニオンギア152を左右方向に回転させるための駆動モーター（回転灯装置移動手段100、図示しておらず）と、により構成されている。
そして、図１６に示すように、左右方向に延びる載置板152に載置され、かつ、レンズ63の先端が演出表示窓151方向を向いた状態で、前記ラック153の所定箇所に、回転灯装置60が取り付けられている。
【００９０】
そして、前記駆動モーター（図示しておらず）が作動することにより、ピニオンギア152が左方向又は右方向に回転し、これに伴って、ピニオンギア152に噛み合ったラック153が、ピニオンギア152の回転方向と反対の方向に移動するものとなっている。すなわち、ピニオンギア152が左方向に回転すると、これに噛み合ったラック153は右方向に移動することとなる。また、ピニオンギア152が右方向に回転すると、これに噛み合ったラック153は左方向に移動することとなる。そして、このラック153の移動に伴って、ラック153に取り付けられた回転灯装置60も、載置板152に案内されて、ラック153の移動方向と同じ方向に移動するものとなっている。
【００９１】
また、本実施の形態では、ＢＢゲームに当選していないとき（初期状態）は、演出表示窓51の左方及び右方にそれぞれ設けられた回転灯装置60はいずれも、その全体が演出表示窓151の外側に位置するものとなっている。すなわち、演出表示窓151の左方に設けられた回転灯装置60であれば、当該回転灯装置60の全体が演出表示窓151の左端よりも左方に位置するものとなっている。また、演出表示窓151の右方に設けられた回転灯装置60であれば、当該回転灯装置60の全体が演出表示窓151の右端よりも右方に位置するものとなっている。したがって、上述の場合は、いずれの回転灯装置60も視認することができないこととなっている。また、いずれの回転灯装置60も、その全体が演出表示窓151の外側にあって、その全体を視認することができない位置（以下、「不可視位置」とする。）から、レンズ63の全部が演出表示窓151内にあって、その全部を視認することができる位置（以下、「可視位置」とする。）までの間を移動可能となっている。
【００９２】
また、本実施の形態では、作動制御手段210は、当選抽選手段193の抽選により特定導入遊技（ＢＢゲーム）に当選したことを契機として、前記駆動モーターの駆動を開始するように制御する。そして、ＢＢゲームに入賞するまでの間、前記駆動モーターの駆動に伴って、各ラック153の左右方向への移動が繰り返されることとなり、これに伴って、各回転灯装置60も、不可視位置から可視位置までの間を往復移動することとなる。そして、作動制御手段210は、ＢＢゲームに入賞し、回転灯装置60が不可視位置まで移動したことを契機として、前記駆動モーター132の駆動を終了させるように制御する。
（総括）
上述の如く、本実施の形態に係るスロットマシンＳによれば、特定導入遊技（ＢＢゲーム）に当選することを契機として、作動制御手段200が、移動機構部110に設けられた駆動モーター（図示しておらず）の作動を開始する。そして、駆動モーター（図示しておらず）が作動を開始することによって、各回転灯装置60はそれぞれ、その全体が演出表示窓151の外側にあって、その全体を視認することができない位置（不可視位置）から、レンズ63の全部が演出表示窓151内にあって、その全部を視認することができる位置（可視位置）までの間を、左右に往復移動することとなる。
【００９３】
そして、各回転灯装置60が可視位置に到達すると、上述の如く、回転灯装置60のレンズ63の全部が演出表示窓151内に現れる。したがって、この場合、遊技者は、上扉30の演出表示窓151を通して、回転灯装置60を正面側から視認することができることとなる。一方、回転灯装置60が不可視位置まで移動すると、上述の如く、回転灯装置60の全体が演出表示窓151外に隠れることとなる。したがって、この場合、遊技者は、演出表示窓151を通して、回転灯装置60を正面側から視認することができないこととなる。
すなわち、回転灯装置60が、演出表示窓151（いわゆる、表示領域）外から、演出表示窓151内へ出現したり、回転灯装置60が演出表示窓151内から演出表示窓151外へ隠れたりする旨を、遊技者は視認することができることとなる。
【００９４】
したがって、遊技者は、回転灯装置60が演出表示窓151に対して出没するという斬新な演出を楽しむことができることとなるため、回転灯装置60による演出に対する興趣を高めることができることとなる。また、回転灯装置60による演出のパターンを増やすことができることとなるため、遊技性を向上させることができることとなる。
（４）第４の実施の形態
以下、本発明の第４の実施の形態を図面を参照しつつ説明する。
（図面の説明）
図１７及び図１８は、本発明の第４の実施の形態を示すものである。図１７は、上扉装飾体6を示す正面図である。図１８は、図１７のＦ−Ｆ線断面図である。
【００９５】
（本実施の形態の概略）
第１の実施の形態では、回転灯装置60は、上扉装飾体6の庇部50Aの正面側垂下壁50Dの後ろ側に、ワイヤー115により吊り下げられるように取り付けられていたのに対し、第４の実施の形態では、上扉装飾体6の庇部50Aの正面側垂下壁50Dの後ろ側に、水平方向に回転可能な回転ケース170を設け、この回転ケース170に対して出し入れ可能となるように回転灯装置60が取り付けられている。具体的には、前記回転灯装置60を、前記回転ケース170の内周面に螺合可能に形成する。そして、前記回転ケース170を回転させることにより、この回転ケース170の内周面に螺合する回転灯装置60が、この螺合部分を介して、前記回転ケース170の内部方向へ移動、又は、前記回転ケース170の外部方向へ移動するようになっている。
【００９６】
第４の実施の形態は、主として、上記の点が第１の実施の形態と相違し、他については、第１の実施の形態と同様である。以下、相違点を中心に第４の実施の形態を説明する。
（回転灯装置60）
本実施の形態に係る回転灯装置60は、本体ベース50の庇部50Aの正面側垂下壁の後ろ側に設けられる後述の回転ケース170に取り付けられるようになっている。
また、本実施の形態に係る回転灯装置60は、第１の実施の形態と同様に、本体ケース61とレンズ63とを有しているが、本実施の形態における本体ケース61は、箱型ではなく円筒型に形成されている。
【００９７】
また、前記本体ケース61の外周面には、所定のネジ山及びネジ溝を有する本体ケースネジ部161が形成されている。
また、前記レンズ63の背面部には、その上部から下部まで至る凹溝である案内溝162が設けられている。
（移動機構部110）
移動機構部110は、第１の実施の形態と同様に、前記回転灯装置60を上下方向に移動させるための回転灯装置移動手段100を有するものであって、図１８に示すように、本体ベース50の庇部50Aの正面側垂下壁50Dの後ろ側に設けられているものである。
【００９８】
この移動機構部110は、大別して、庇部50Aの正面側中央部の下方に設置され水平方向に回転可能な回転ケース170と、この回転ケース170を水平方向に回転させるための駆動モーター163（回転灯装置移動手段100）と、により構成されている。
（回転ケース170）
回転ケース170は、この回転ケース170を支持するための回転ケース支持部175を介して、庇部50Aの正面側中央部の下方にぶら下げられるように設置されているものである。
この回転ケース170は、図１８に示すように、円筒型容器状部材であって、下方が開口するものとなっている。具体的には、この回転ケース170は、円筒状の側板177、及び、この側板177の上部開口を覆う円板状の天板とこの天板の外周縁から天板の中心と反対方向へ突出する外向きフランジとから構成される天板部176、を備えている。
【００９９】
そして、図１８に示すように、庇部50Aの正面側中央部の下面には、前記回転ケース170の天板部176を支持可能な回転ケース支持部175が設置されている。この回転ケース支持部175は、前記回転ケース170の天板部176を挟持することにより、回転ケース170を支持するものである。
具体的には、この回転ケース支持部175は、前記回転ケース170の天板部176の外径よりも若干大きな円板の下面側の外周縁に、前記天板部176の外向きフランジを上下方向から挟持可能な断面コ字状の溝を設けたものとなっている。なお、この溝は、前記外向きフランジの厚さよりも若干大きく形成されている。そして、前記溝に、前記天板部176の外向きフランジが挟持されることにより、前記回転ケース170が回転ケース支持部175に支持されることとなる。
【０１００】
また、前記回転ケース170の天板の上面中央には、前記回転ケース支持部175の天板部176を構成する円板を貫通して、上方に突出する連結軸173が設けられ、この連結軸173の上端には回転ケースギア172が設けられている。そして、この回転ケースギア172は、前記回転ケース支持部175の上方に設けられた駆動モーター163の駆動により回転させられるものとなっている。
すなわち、前記駆動モーター163の駆動により、前記回転ケースギア172は水平方向に回転することとなる。すると、前記回転ケースギア172が設けられている連結軸173も、前記回転ケースギア172の回転に伴って、同方向に回転することとなり、さらには、前記連結軸173が設けられている回転ケース170も回転することとなる。換言すれば、前記駆動モーター163が駆動すると、回転ケース170が所定方向に回転することとなっている。
【０１０１】
なお、上述の如く、前記回転ケース支持部175の円板は、前記回転ケース170の天板部176の外形よりも若干大きく形成されているとともに、前記円板の下面側に設けられた溝は、前記回転ケース170の外向きフランジの厚さよりも若干大きく形成されているため、前記回転ケース170は、前記回転ケース支持部175に支持されたまま回転可能なものとなっている。
また、前記回転ケース170には、前記回転灯装置60が、この回転ケース170の内部を上下方向に移動できるように取り付けられている。
具体的には、この回転ケース170の側板177の内周面には、前記回転灯装置60の本体ケースネジ部161が螺合可能な回転ケースネジ部171が形成されている。そして、本体ケースネジ部161と回転ケースネジ部171とがネジ止めされる方向（以下、「ネジ止め方向」とする。）へ、回転ケース170が回転すると、本体ケースネジ部161が回転ケースネジ部171に螺合し、回転ケース170が回転灯装置60方向へ移動する。すなわち、回転灯装置60が回転ケース170の内部方向へ移動する。一方、ネジ止め方向とは反対の方向へ、回転ケース170が回転すると、回転ケース170が回転灯装置60とは反対方向へ移動する。すなわち、回転灯装置60が回転ケース170の外部方向へ移動する。
【０１０２】
また、前記回転灯装置60は、図１８に示すように、本体ケース61の上面が回転ケース170の内奥、すなわち、回転ケース170の天板部176の下面に接するまで（以下、「上限位置」とする。）、回転ケース170の内部方向へ移動することができるものとなっている。そして、回転灯装置60が上限位置まで移動したときは、回転灯装置60のレンズ63の下端部が、前記回転ケース170の下端部の下側に出現するものとなっている。
また、前記回転灯装置60は、図１８に示すように、本体ケース61とレンズ63とのつなぎ部分が、回転ケース170の下端に達するまで（以下、「下限位置」とする。）、回転ケース170の外部方向へ移動することができるものとなっている。そして、回転灯装置60が下限位置まで移動したときは、回転灯装置60のレンズ63部分が総て回転ケース70の下端部の下側に出現するものとなっている。
【０１０３】
（回転防止突部166）
上述の如く、前記回転灯装置60におけるレンズ63の背面部には、その上部から下部まで至る凹溝である案内溝162が設けられている。そして、前記回転灯装置60の背面側に設置されているバックライトユニット80における、前記案内溝162と対応する位置には、この案内溝162に向けて水平に突出する回転防止突部166が設けられている。そして、この回転防止突部166の突端部は、前記案内溝162内に挿入されている。
この回転防止突部166は、上述の駆動モーター163の駆動により回転ケース170が水平方向へ回転する際に、この回転に伴って回転灯装置60が回転してしまうのを防止するためのものである。すなわち、バックライトユニット80から突出する回転防止突部166の突端部が、回転灯装置60のレンズ63背面に設けられた案内溝162に挿入されていることにより、回転灯装置60は水平方向に回動することができなくなっている。
【０１０４】
そして、前記回転防止突部166に案内されて、回転灯装置60は上限位置から下限位置までの間を移動するものとなる。なお、この際、相対的には、回転防止突部166が前記案内溝162に沿って移動しているということができる。
（回転灯装置60の上下移動）
以下、回転灯装置60の上下移動について説明する。
上述の如く、前記駆動モーター163が作動すると、回転ケースギア172が水平方向に回転する。すると、この回転に伴って、回転ケースギア172が設けられている回転ケース170も同方向に回転することとなる。なお、ここでは、回転ケース170は、ネジ止め方向（回転灯装置60の本体ケースネジ部161と回転ケースネジ部171とがネジ止めされる方向）に回転するものとする。
【０１０５】
ここで、回転ケース170の内部には回転灯装置60が取り付けられているが、上述の如く、回転灯装置60のレンズ63背面部に設けられた案内溝162には、バックライトユニット80から突出する回転防止突部166の突端部が挿入されている。したがって、この回転防止突部166により、回転灯装置60が前記回転ケース170と共に回転することが防止されるため、回転ケース170のみが回転することとなる。
そして、回転ケース170がネジ止め方向に回転すると、回転ケースネジ部171に回転灯装置60の本体ケースネジ部161が螺合しながら、回転ケースネジ部171に本体ケースネジ部161がネジ止めされていく。ここで、前記回転ケース170は、上述の如く、回転ケース支持部175に挟持されているため、この回転ケース170が回転灯装置60方向に移動することができず、前記回転灯装置60が回転ケース170の内部方向へ移動することとなる。
【０１０６】
すなわち、上述のような構成によれば、駆動モーター163が作動して、回転ケース170がネジ止め方向に回転すると、回転灯装置60が回転ケース170の内部方向、すなわち、上方へ移動することとなる。
一方、駆動モーター163が作動することにより、回転ケース170が、ネジ止め方向とは反対の方向に回転した場合は、上述とは逆となり、回転灯装置60が回転ケース170の外部方向、すなわち、下方へ移動することとなる。
また、本実施の形態では、ＢＢゲームに当選していないとき（初期状態）は、回転灯装置60は、上限位置に位置するものとなっている。また、本実施の形態における回転灯装置60は、上述の如く、前記上限位置から下限位置までの間を移動可能となっている。
【０１０７】
そして、回転灯装置60が上限位置に位置しているときは、上述の如く、回転灯装置60のレンズ63の下端部が回転ケース70の下端部の下側に出現するものとなっている。しかし、図１８に示すように、レンズ63の下端部は、庇部50Aの正面垂下壁50Dの後ろ側に位置するため、回転灯装置60を正面側から視認することができないものとなっている。一方、回転灯装置60が下限位置に位置しているときは、上述の如く、本体ケース61とレンズ63とのつなぎ部分が、回転ケース170の下端に達しており、回転灯装置60のレンズ63部分が総て回転ケース70の下端部の下側に出現するものとなっている。そして、図１８に示すように、レンズ63のほぼ全部が、庇部50Aの正面垂下壁50Dの下側に位置するため、この部分を正面側から視認することができるものとなっている。
【０１０８】
すなわち、回転灯装置60は、その全体が庇部50Aの正面垂下壁50Dの後ろ側に隠れる位置（以下、「不可視位置」とする。）から、レンズ63のほぼ全部が、庇部50Aの正面垂下壁50Dの下側に現れる位置（以下、「可視位置」とする。）までの間を移動可能となっている。
また、本実施の形態では、作動制御手段210は、当選抽選手段193の抽選により特定導入遊技（ＢＢゲーム）に当選したことを契機として、前記駆動モーター163の駆動を開始するように制御する。そして、ＢＢゲームに入賞するまでの間、前記駆動モーター163の駆動に伴って、回転灯装置60の上下動が繰り返されることとなる。すなわち、回転灯装置60が、不可視位置から可視位置までの間を往復移動することとなる。そして、作動制御手段210は、ＢＢゲームに入賞し、回転灯装置60が前記不可視位置まで移動したことを契機として、前記駆動モーター132の駆動を終了させるように制御する。
【０１０９】
（総括）
上述の如く、本実施の形態に係るスロットマシンＳによれば、第１の実施の形態と同様の作用、効果を奏することとなる。
また、本実施の形態では、本体ケースネジ部161と回転ケースネジ部171とのネジ止めを利用することにより、回転灯装置60を上下移動させるものとなっている。このような構造においては、本体ケースネジ部161及び回転ケースネジ部171のネジ幅と、回転ケース170の回転径とを変更することにより、回転灯装置60の上下移動の速度を変えることができる。すなわち、駆動モーター163の駆動に依存することなく、回転灯装置60の上下移動の速度を自由に設計することができる。したがって、たとえば、回転灯装置60を速く上下移動させたい場合にも、駆動モーター163の回転駆動の速度を速くすることなく、上記設計により対応することができるため、駆動モーター163の負荷を軽減することができる。
【図面の簡単な説明】
【０１１０】
【図１】本発明の第１の実施の形態であって、スロットマシンを示す正面図である。
【図２】本発明の第１の実施の形態であって、スロットマシンを分解した状態を示す斜視図である。
【図３】本発明の第１の実施の形態であって、上扉装飾体を示す正面図である。
【図４】本発明の第１の実施の形態であって、図３のＡ−Ａ線断面図である。
【図５】本発明の第１の実施の形態であって、図３のＢ−Ｂ線断面図である。
【図６】本発明の第１の実施の形態であって、図３のＣ−Ｃ線断面図である。
【図７】本発明の第１の実施の形態であって、上扉装飾体を取り外した上扉30を示す斜視図である。
【図８】本発明の第１の実施の形態であって、上扉装飾体を分解した状態を示す斜視図である。
【図９】本発明の第１の実施の形態であって、回転灯装置を分解した状態を示す斜視図である。
【図１０】本発明の第１の実施の形態であって、回転灯装置を示す側断面図である。
【図１１】本発明の第１の実施の形態であって、スロットマシンの制御装置の入力及び出力の概略を示すブロック図である。
【図１２】本発明の第１の実施の形態であって、回転灯装置の移動処理の概略を示すフローである。
【図１３】本発明の第１の実施の形態の一の変形例を示すものであり、上扉装飾体を示す正面図である。
【図１４】本発明の第２の実施の形態であって、上扉装飾体を示す正面図である。
【図１５】本発明の第２の実施の形態であって、図１４のＥ−Ｅ線断面図である。
【図１６】本発明の第３の実施の形態であって、スロットマシンを示す正面図である。
【図１７】本発明の第４の実施の形態であって、上扉装飾体を示す正面図である。
【図１８】本発明の第４の実施の形態であって、図１７のＦ−Ｆ線断面図である。
【符号の説明】
【０１１１】
Ｓ  スロットマシン（遊技機）
1  筐体                   2  交換ユニット
3  前扉                   4  電源ユニット
5  ホッパーユニット       6  上扉装飾体
11  開口部                12  中板
13  開口上部              14  開口下部
15  底板                  16  側板
17  天板                  18  裏板
19  ヒンジ                20  リールユニット
21  支持体                23  回転リール
24  基板ユニット          24A メイン基板
24B サブ基板
30  上扉                  31  上パネル
31A 図柄表示窓            32  扉枠
35  スピーカー装置
40  下扉                  41  操作部
42  メダル投入口          43  ベットスイッチ
44  スタートスイッチ      45  ストップスイッチ
46  メダル皿              47  下パネル
48  メダルセレクター      49  投入スイッチ
50  本体ベース            50A 庇部
50B 底部突起              50C 固定枠
50D 正面側垂下壁          51  空間部
52  凹部                  53  スピーカーボックス収納部
54  ステージ部            55  電飾体取り付け部
56  ランプカバー固定部    57  正面カバー固定部
58  正面カバー            58a ネジ挿通孔
60  回転灯装置            61  本体ケース
62  つなぎ部              62B ネジ部
62C 取り付け部            63  レンズ
63A ネジ部                64  反射板ユニット
64A 回転反射板            64B 台座部
64C 丸孔                  64D 反射面
65  ランプ                66  反射板固定部
66A 反射板ギア            67  ソケット
68  駆動モーター          68A モーターギア
68B 減速ギア              69  支持部材
70  スピーカーボックス    71  グリル面
72  本体箱                73  背面板
74  音通孔                75  上面
76  上面開口
80  バックライトユニット  83  表示フィルム
88  発光面                90  電飾体
91  発光体                92,93  ランプカバー
100 回転灯装置移動手段    110 移動機構部
111 収納ケース            112 ウインチ
113 ガイド                115 ワイヤー
116 ローラー
131 ベルト                132 駆動モーター
133 ローラー              134 固定具
135 吊り下げユニット      136 吊り下げ役物
137 役物駆動部            138 連結部
151 演出表示窓            152 ピニオンギア
153 ラック                154 載置板
161 本体ケースネジ部      162 案内溝
163 駆動モーター          166 回転防止突部
170 回転ケース            171 回転ケースネジ部
172 回転ケースギア        173 連結軸
175 ケース支持部          176 天板部
177 側板
180 制御装置              190 遊技制御装置
191 通常遊技制御手段      192 特別遊技制御手段
193 当選抽選手段          194 持ち越し手段
195 停止制御手段          196 入賞判定手段
200 演出制御装置          201 演出データ記憶手段
202 スピーカー装置制御手段
203 回転灯装置制御手段    204 バックライトユニット制御手段
210 作動制御手段
【図１】
2008119227.tif 000003
【図２】
2008119227.tif 000004
【図３】
2008119227.tif 000005
【図４】
2008119227.tif 000006
【図５】
2008119227.tif 000007
【図６】
2008119227.tif 000008
【図７】
2008119227.tif 000009
【図８】
2008119227.tif 000010
【図９】
2008119227.tif 000011
【図１０】
2008119227.tif 000012
【図１１】
2008119227.tif 000013
【図１２】
2008119227.tif 000014
【図１３】
2008119227.tif 000015
【図１４】
2008119227.tif 000016
【図１５】
2008119227.tif 000017
【図１６】
2008119227.tif 000018
【図１７】
2008119227.tif 000019
【図１８】
2008119227.tif 000020